(57)【要約】  本発明は、複数の個々の肘掛け椅子（１から６）であって、各肘掛け椅子は共通ソースに接続される音声再生手段（１２から１５）を備える、肘掛け椅子、を含む、集合的空間において音声を再生するためのオーディオシステムに関する。再生手段（１２から１５）の各々は、対応する肘掛け椅子の使用者のパーソナルデバイス内に保管された構成ファイルを読み取るように、パーソナルデバイスと通信するための手段を備える特定の補正回路を含む。
2019515533.tif 000002
【特許請求の範囲】
【請求項１】
集合的空間において、複数の個々の肘掛け椅子（１から６）を含み、各肘掛け椅子は、共通ソースに接続される音声再生手段（１２から１５）を備える音声を再生するためのシステムであって、再生手段（１２から１５）の各々は、対応する肘掛け椅子の使用者のパーソナルデバイス内に保管された構成ファイルを読み取るように、前記パーソナルデバイスと通信するための手段を備える特定の補正回路を含むことを特徴とする音声を再生するためのシステム。
【請求項２】
前記通信手段は、近距離無線通信（ＮＦＣ）型のものであることを特徴とする請求項１に記載の音声を再生するためのシステム。
【請求項３】
前記構成ファイルは、リモートリソース内に保管されたデジタルオーディオグラムで構成され、前記肘掛け椅子は、前記肘掛け椅子に座っている聴衆のメンバーのカスタマイズ情報に基づいて対応するファイルをダウンロードするための手段と関連付けられることを特徴とする請求項１に記載の音声を再生するためのシステム。
【請求項４】
前記肘掛け椅子の各々は、前記対応する使用者のパーソナルデバイスとマッチングさせるためのコードを見るためのディスプレイスクリーン（１６）を含むことを特徴とする請求項１に記載の音声を再生するためのシステム。
【請求項５】
前記肘掛け椅子（１から６）の各々は、前記対応する使用者のパーソナルデバイスと通信するためのコネクタを含むことを特徴とする請求項１に記載の音声を再生するためのシステム。
【請求項６】
前記構成ファイルを保管し、および保管された様々な前記構成ファイルに基づいて個々の肘掛け椅子を割り当てるための情報を計算するためのサーバーをさらに含むことを特徴とする請求項１に記載の音声を再生するためのシステム。
【請求項７】
前記構成ファイルを保管し、および集合的空間の１つのゾーン内に提供される複数の肘掛け椅子を前記ゾーン内の使用者の様々な個々の構成ファイルに従って計算される共通の構成ファイルによって制御するため、のサーバーをさらに含むことを特徴とする請求項１に記載の音声を再生するためのシステム。
【請求項８】
前記共通の構成ファイルは、前記ゾーン内の使用者の様々な個々の構成ファイルに基づいて、および第２のタイプの個々のパラメータに基づいて、計算されることを特徴とする請求項７に記載の音声を再生するためのシステム。
【請求項９】
前記構成ファイルは、スペクトルのフィルタリングパラメータを含むことを特徴とする請求項１に記載の音声を再生するためのシステム。
【請求項１０】
前記構成ファイルは、インパルス応答で構成されること、および前記肘掛け椅子の各々は、インパルス応答フィルタを含むこと、を特徴とする請求項１に記載の音声を再生するためのシステム。
【請求項１１】
前記肘掛け椅子は、指向性ラウドスピーカーを備えることを特徴とする請求項１に記載の音声を再生するためのシステム。
【請求項１２】
前記指向性ラウドスピーカーは、音響線で構成されることを特徴とする請求項１１に記載の音声を再生するためのシステム。
【発明の詳細な説明】
【技術分野】
【０００１】
本発明は、劇場設備、および具体的には、専用の場所における、または居間もしくは生活空間（「ホームシアター」）における、映画館もしくは劇場、またはホームシアター、および特に、運動感覚的な（kinesthetic）３Ｄおよび４Ｄの音声再生設備の分野に関する。
【０００２】
そのような集合的空間または私的空間において、電気音響部は、音声の再生を制御するために非常に重要である。それは、国際規格ＩＳＯ  ２９６９：２０１５において、チェーンＢ（chain B）と呼ばれる。
【０００３】
室内における再生の点の配信（distribution）は、概して、室内における３つの主要なスクリーンチャネルおよび２つのサランド音声チャネル、ならびにスクリーンの後ろに位置付けられた非常に低い周波数専用の１つのチャネルを有するいわゆる５．１．デジタルシステムに相当する。この選択は、室内における音声の最良の可能な配信を提供するため、およびまた、多かれ少なかれ目覚ましい音声効果を使用することを可能にするために、なされた。最重低音（deepest sounds）のみを再生する低音（bass）増強チャネル（２０から８０／１００Ｈｚ）は、劇的効果において主要な役割を果たす。その上、容易に広がるそのような振動は、全身によって、および耳によってのみではなく、感じられる。
【０００４】
サラウンドＥＸ（Surround EX）またはＤＴＳ−ＥＳの商品名で知られる６．１型の別のソリューションは、この設備（provision）の変形である。サラウンド音声チャネルは、次いで、３つのチャネル、左、右および後、に配信される。スクリーンチャネルは、変化しない。
【０００５】
聴取レベルは、ミキシングホール（mixing auditoriums）において、および劇場において、同等である。それは、通常、室の構成およびサイズ、または聴取場所によって、７８から８５デシベルの基準レベル（reference level）に相当する。それは、フィルム毎に変化すべきではない。各シーンの音声レベルは、その聴取レベルに関連して、所望の効果および感覚に基づいて、ミキシングに際して決定されるので。このレベルの変動は、フィルムのダイナミクス全体を変更することによって芸術的意図に影響を及ぼすのみではなく、ときどき低くなりすぎまたは危険なほどに高くなりすぎることによって聴取の質にも影響を及ぼし得る。
【０００６】
これらのソリューションは、個々の聴取特異性を計算に入れない。いくつかの過度にミキシングされたフィルム（８５デシベルの基準が超えられている）によって引き起こされた不快さの観点から、技師は、聴取レベルを独断的に低減させなければならなかった。基準レベルは、その結果、もはや準拠されない。これは、他の映画に有害であり、および音声の後再生作品（post-production work）をひずませる。
【０００７】
全てのＢチェーン（B chain）セッティング  −  周波数および聴取レベル応答は、室内に提供された映画館の（cinema）プロセッサを通して、またはオーディオ−ビデオ増幅器を通して、聴衆の個々の特異性を考慮することなく、行われる。
【０００８】
代替的なソリューションは、室に、音声の再生を適合させるためのラウドスピーカーを組み入れる肘掛け椅子を備えることにある。
【０００９】
先行技術
この集合的再生の問題を改善するために、肘掛け椅子に、個々の音声再生システムを備えることも提案された。国際親出願（特許文献１）は、例えば、そのような、アンビオフォニックサウンド体験を概して再生するための幾つかのラウドスピーカーを備えるアンビオフォニックヘッドレストを記載する。ヘッドレストは、概して、少なくとも１つのラウドスピーカーを備える中央部、少なくとも１つのラウドスピーカーを備える第１の側部、および少なくとも１つのラウドスピーカー第２の側部を含む。側部は、中央部の両側に配置され、および中央部に関して頂部に向かった実質的に垂直に延在する。ヘッドレストは、幾つかの異なるオーディオ信号を生成することのできるオーディオ信号ソースに接続されるように配置される。
【００１０】
特許出願（特許文献２）もまた、技術水準において知られている。
【００１１】
この文献は、神経系の治療のための振動性の刺激または聴覚刺激を提供するために振動を使用者の体に伝送するための変換器を含むリクライナーシートに関する。これらの神経刺激および緩和セッションを、使用者が音楽を聴いているまたはビデオゲームをしている間に行うことができ、音声は、もちろん、肘掛け椅子に一体化された振動加振機（vibration excitators）以外の手段によって伝送されることが明示されている。
【００１２】
先行技術のこの文献の主題（subject）は、本発明の範囲に関連するものではなく、振動印加による神経弛緩の主題である非常に異なった分野に関する。
【先行技術文献】
【特許文献】
【００１３】
【特許文献１】国際公開第２０１０／０２８４８３号
【特許文献２】米国特許出願公開第２０１０／０３２０８１９号明細書
【発明の概要】
【発明が解決しようとする課題】
【００１４】
先行技術の欠点
先行技術のソリューションは、満足がいくものではない。集合的音声再生は、個々の聴覚特異性を考慮しない。
【００１５】
個々の音声放送装置（broadcaster）を備える肘掛け椅子に関わるソリューションにおいて、音源は全ての肘掛け椅子に共通でありおよび聴衆のメンバーの聴覚特異性を考慮することを可能にしないので、問題は同じままである。
【００１６】
これが、劇場が、サウンドシステムの質に不満である聴衆からの繰り返し起こる批判の対象となる理由である：大きすぎる音量（too high volume）、過度の音声レベル、音声の不十分な知覚品質、対話のレベルとバックグラウンドのノイズまたは音楽との不均衡。革新のほとんどは、音声空間化（sound spatialization）等の新しい音声実験に関するが、不満の基本的な理由を改善しない。
【課題を解決するための手段】
【００１７】
本発明によって提供されるソリューション
これらの欠点を改善するために、本発明は、その最も広義には、共通ソースに接続される音声再生手段を各々備える複数の個々の肘掛け椅子を含む、集合的空間において音声を再生するためのシステムに関し、前記再生手段の各々は、対応する肘掛け椅子の使用者のパーソナルデバイス内に保管された構成ファイル（configuration file）を読み取るように、プロセッサおよびパーソナルデバイスと通信するための手段を備える特定の補正回路を含むことによって特徴付けられる。
【００１８】
この構成ファイルは、特に、例えばインパルス応答信号のようなデジタルオーディオグラムから構成され得る。
【００１９】
代替的なソリューションにおいて、前記デジタルオーディオグラムは、リモートリソース（クラウド、サーバー．．．）内に保管され、肘掛け椅子は、肘掛け椅子に座っている聴衆のメンバーのカスタマイズ情報に基づいて対応するファイルをダウンロードするための手段と関連付けられる。
【００２０】
前記構成ファイルは、有利には、リモートサポート上に保管され、肘掛け椅子は、使用者のカスタマイズ情報によって前記サポートと通信するための手段を有する。
【００２１】
別の代替的なソリューションによると、前記通信手段は、近距離無線通信（near field communication）（ＮＦＣ）型である。
【００２２】
別の代替的なソリューションによると、前記肘掛け椅子の各々は、対応する使用者のパーソナルデバイスとマッチングさせるためのコードを見るためのディスプレイスクリーンを含む。
【００２３】
第３の対応する使用者のパーソナルデバイスによると、前記肘掛け椅子の各々は、対応する使用者のパーソナルデバイスと通信するためのコネクタを含む。
【００２４】
特定の実施形態によると、システムは、前記構成ファイルを保管し、および保管された様々な前記構成ファイルに基づいて個々の肘掛け椅子を割り当てるための情報を計算するためのサーバーをさらに含む。
【００２５】
有利には、それは、前記構成ファイルを保管し、および前記ゾーン内の使用者の様々な個々の構成ファイルに従って計算される共通の構成ファイルによって集合的空間の１つのゾーン内に提供される複数の肘掛け椅子を制御するためのサーバーをさらに含む。
【００２６】
特定の実施形態によると、前記共通の構成ファイルは、前記ゾーン内の使用者の様々な個々の構成ファイルに基づいて、および第２のタイプの個々のパラメータに基づいて、計算される。
【００２７】
代替的なソリューションによると、前記構成ファイルは、スペクトルのフィルタリングパラメータを含む。
【００２８】
特定の実施形態によると、前記構成ファイルは、インパルス応答で構成され、および前記肘掛け椅子の各々は、インパルス応答フィルタを含む。
【００２９】
肘掛け椅子は、好ましくは、可変的な指向性を有する指向性ラウドスピーカーを備えて、肘掛け椅子に座っている聴衆のメンバーへの適合を可能にする。
【００３０】
特定の実施形態によると、前記指向性ラウドスピーカーは、音響線（acoustic line）アレイで構成され、その指向性は、人の位置および形態（conformation）を検知するセンサーによって制御されるシステムによって制御される。
【００３１】
本発明の１つの実施形態の非制限的な実施例の詳細な説明
本発明は、添付図面を参照して以下の記載を読むと、よりよく理解されるであろう。
【図面の簡単な説明】
【００３２】
【図１】本発明によるシステムの例示的な実施形態を示す図である。劇場室は、一連の肘掛け椅子１から６を備える。
【発明を実施するための形態】
【００３３】
各肘掛け椅子は、肘掛け椅子に座っている使用者に向かって音声を再生する指向性ラウドスピーカー１２から１５を備える。
【００３４】
各肘掛け椅子は、付加的に、使用者がもはや肘掛け椅子に座っていない場合に、中に装備されたラウドスピーカーによる音声再生の中断を制御する、存在検出器を備える。
【００３５】
肘掛け椅子１から６は、また、使用者のデバイス、例えば携帯電話、と通信することを可能にする無線周波数受信器、例えばＢｌｕｅｔｏｏｔｈ（登録商標）、を含む電子回路１１から６１を備える。肘掛け椅子は、記載される実施例において、対応する肘掛け椅子に座っている使用者の携帯電話とマッチングされるためのコードを見るためのディスプレイスクリーン１６を含む。
【００３６】
接続が確立されたとき、アプリケーションは、考慮される肘掛け椅子のラウドスピーカー１２から１５を通した音声の再生を駆動するフィルタ回路（electronic filter）を制御する、使用者の個人の構成ファイルをダウンロードする。
【００３７】
そのような構成ファイルは、例えばＸＭＬファイルで構成され、使用者が肘掛け椅子に座るに際してダウンロードされた、使用者に個別対応した（user-tailored）スペクトルのフィルタリングパラメータが保管される。
【００３８】
このファイルは、また、例えば、聴力補綴外科医（hearing prothetist）によって準備されおよび使用者に対して保管またはアップロードされたオーディオグラムで構成され得る。
【００３９】
このファイルは、マルチバンドのイコライザーを制御し、および使用者が座る肘掛け椅子のラウドスピーカーによる音声再生に適応する個人の応答を設定するために、回路２１によって使用される。
【００４０】
構成ファイルは、また、インパルス応答の保管に対応し、次いで、劇場室の技師によって肘掛け椅子１から６の全てにおいて再生された集合的音声信号を用いて肘掛け椅子の使用者によってダウンロードされた信号を増幅させる畳み込み回路（convolution circuit）によって使用される、ＷＡＶタイプのファイルであり得る。
【００４１】
肘掛け椅子１から６は、また、タブレットまたは携帯電話をそれに接続するためのコネクタを含んでいてもよく、従って、一方で構成ファイルの伝達を、および他方で課電（electric charging）を、可能にする。
【００４２】
代替的なソリューションによると、同一ゾーンにおいてファイルが類似している使用者をグループ分けすることを可能にするように、構成ファイルを、関係している使用者の肘掛け椅子に対してファイルを配信するサーバーに、事前に伝送することができる。
【００４３】
この場合、音声再生は、考慮されるゾーンの肘掛け椅子の全てに関して、例えば、同一ゾーンにおいてグループ化された使用者の個々の構成を集約することによって計算される平準化（equalization）を用いて、同一であり得る。そのような集約は、付加的なパラメータ、例えば、劇場室への入場の頻度または支払われた価格のカテゴリーの関数としての、使用者の忠実度（loyalty）を表すデジタル値によって重み付けされ得る。
【００４４】
別の代替的なソリューションによると、肘掛け椅子１の使用者を対象とするラウドスピーカーは、そのうちの幾つかに関して、音声空間化を増進させるように、隣接する肘掛け椅子３内に一体化される。この場合、隣接する肘掛け椅子３内のラウドスピーカーは、使用者の肘掛け椅子１の電子回路１１によって制御され、および構成ファイルは、後者によって、肘掛け椅子３の回路３１に伝送される。
【００４５】
肘掛け椅子は、また、使用者が座っている肘掛け椅子に対する音声再生の空間化を制御するように、サイズのような使用者の形態に関する情報を取得するための手段を提供し得る。
【００４６】
代替的なソリューションによると、肘掛け椅子１から６は、小さい孔が開けられた（small-apertured）音声再生ローブを画定するように、制御された指向性を有するサウンドバーまたは好ましくは指向性音響線アレイを後部または側部に備える、バケットシートである。
【００４７】
音響線アレイは、放送装置の各々に適用された信号の位相および振幅（phase and amplitude）によって制御される指向性を持つ音声の再生を可能にする、「インライン（in line）」の一次元の音響エンクロージャのネットワークで構成される。本発明の目的のために、音響線アレイは、１５センチメートルから４０センチメートルの間、好ましくは、２０ｃｍのオーダーのサイズを有し、および、そのセクションが０．５ｃｍから２ｃｍの間であるマイクロ変換器を備える。
【００４８】
使用者の肘掛け椅子４の前の肘掛け椅子６は、使用者の肘掛け椅子４に向かって配向された音響線アレイを含む。肘掛け椅子６の背もたれ（back）は、また、次の列の肘掛け椅子４における使用者の頭の位置を認識するためのカメラを、このカメラを備える肘掛け椅子６の背後に位置する肘掛け椅子４の使用者の頭のサイズおよび位置によって音声放送装置の配向および指向性を最適に制御するために、含み得る。
【００４９】
カメラは、また、スクリーン、例えば居間のスクリーン、の近くに置かれるカメラであってもよい。
【００５０】
肘掛け椅子のアームレストは、各々、聴衆のメンバーの耳に向かって動的に方向付けられる１つの音響線を有し得る。音響線アレイの各々の配向は、肘掛け椅子使用者の位置を解析するカメラによって制御され得る。各使用者は、６つから１４個の音響線アレイから音声信号を受け取る。
−  使用者の肘掛け椅子のヘッドレストにおいて、右および左、ならびに任意選択的に中心に位置付けられる２つから３つの側部音響線アレイ。
−  使用者の肘掛け椅子内部において、肘掛け椅子のアームレスト内、右および左に位置付けられる、２つから４つの音響線アレイ。
−  使用者の前に位置する肘掛け椅子の後部において、右、左、および任意選択的に中心に位置付けられる、２つから４つの前部音響線アレイ。
【００５１】
任意選択的に、肘掛け椅子のシートは、橋を渡るシーンのための川の音のような「背景（ground）」効果を生み出すように、中心線の両側に、前後方向に配列された４つの付加的な音響線アレイを有し得る。
【００５２】
この代替的なソリューションは、異なる感覚プロファイルを持つ多数の聴衆を含む公的または私的劇場室において、それらに近い聴衆に、豊かな三次元のサウンド体験を提供し、同時に、彼らの感覚特性に前記サウンド体験を適合させることを可能にする。
【００５３】
各肘掛け椅子は、さらに、使用者に応じた知覚の高変動があり、および運動感覚的効果を提供する、このパラメータの個々の調整を可能にするように、同様に構成ファイルによって駆動される、サブウーファーを備えていてもよい。このパラメータは、従って、中央のデバイスによって配信された信号および肘掛け椅子における使用者の個人の構成ファイルから、各使用者の知覚に適合され得る。
【００５４】
肘掛け椅子は、また、振動器が、具体的に使用者によって感じられ得る運動感覚的効果を再生するために組み込まれていてもよい、フットレストを含んでいてもよい。
【００５５】
聴取ゾーン内の肘掛け椅子の設定は、各使用者の移動の頻度（passage frequency）または支払われた価格のようなパラメータに従った構成ファイルの重み付けを用いて、各使用者の個人の情報を考慮することができる。
【００５６】
計算器は、動的変化（dynamics variation）に制約のある空間の１つのゾーンに関して、隣のプロファイルの集約計算（neighbours' profiles aggregation calculation）を行う。
【００５７】
代替的な実施形態
１つの代替的な実施形態によると、音声再生システムは、聴衆の中の人の頭蓋骨の形態（skull morphology）、および、特定された各人に関する、１人の聴取者の体によって音波にもたらされた変形を特徴付けるデータの自動計算、を取得するための１つまたは複数のカメラをさらに含む。
【００５８】
そのようなＨＲＴＦ（頭部伝達関数）データは、次いで、全ての肘掛け椅子に共通の、およびＨＲＴＦデータに従ってバイノーラル方式の方法を適用するバイノーラル方式の、信号から、ラウドスピーカーを用いて三次元の音声環境を再現するように、対応する肘掛け椅子のデバイスに伝送される。
【００５９】
画像を解析することは、顔を抽出し、および、耳間距離、両耳間軸の配向、マスキングおよび回折バリアとして作用する顔形態の関数として決定される両耳間レベル差（ＩＬＤ）のような特徴付けパラメータのおかげで、様々な肘掛け椅子に座っている個人の頭蓋骨の形態を決定することを可能にする。
【００６０】
これらのパラメータは、次いで、バイノーラル方式の信号を用いるエンクロージャを備える空間化された音声環境を再生することを可能にするトランスオーラル技術に従って、各肘掛け椅子に関して、各肘掛け椅子の音声再生手段１２から１５によって送達されるオーディオ信号をカスタマイズするためのＨＲＴＦ（頭部伝達関数）伝達関数を計算するために使用される。
【００６１】
方法は、交差したパス（crossed paths）をキャンセルし、同時に、レコーディングの音色を維持することが意図される、様々なフィルタリングオペレーションを実行する。
【００６２】
ＨＲＴＦに関する取得は、低い計算能力を必要とする簡単なアルゴリズムを生成する標準プロファイルを推論することを可能にする、自動化された機械学習技術を使用して、処理される。
【図１】
2019515533.tif 000003
【国際調査報告】
2019515533.tif 000004
2019515533.tif 000005
2019515533.tif 000006
2019515533.tif 000007
2019515533.tif 000008
2019515533.tif 000009